(57)【要約】  無線通信ネットワークにおいて複数のベアラを選択的に、同時に確立することを円滑にするシステムおよび方法が説明される。無線ネットワークにおけるコア・ネットワークエンティティが、関連する移動デバイスを相手に確立されるべきベアラのリストを備えるベアラ確立要求をアクセス・ポイントに送信することが可能である。ベアラのリストを備える、このベアラ確立要求は、そのリストの中の各ベアラに対応する別々のＮＡＳ（非アクセス層）メッセージを含む。これらの別々のＮＡＳメッセージは、そのリストの中の各ベアラ・エントリにリンクされることが可能である。アクセス・ポイントは、そのリストを受信し、そのリストの中の１つまたは複数の無線ベアラを初期化しようと試みることが可能である。これらのＮＡＳメッセージは、所与のベアラに個々に対応するので、アクセス・ポイントは、初期化されることに成功したベアラに関してだけ、移動デバイスにＮＡＳメッセージを転送することが可能であり、それらのベアラの選択的確立が可能にされる。さらに、アクセス・ポイントは、それらの個々のベアラに関する初期化ステータスをコア・ネットワークに供給することが可能である。
2011517217.tif 000002
【特許請求の範囲】
【請求項１】
無線通信において複数の無線ベアラを確立するための方法であって、
アクセス・ポイントを相手に無線ベアラをセット・アップすることにそれぞれが対応する複数のＮＡＳ（非アクセス層）メッセージを受信すること、および
前記アクセス・ポイントを相手に少なくとも１つの無線ベアラをセット・アップし、前記少なくとも１つの無線ベアラは、前記複数のＮＡＳメッセージの１つに関連することを備える方法。
【請求項２】
前記複数のＮＡＳメッセージは、無線層接続メッセージの中に備えられたリスト内で示される請求項１に記載の方法。
【請求項３】
前記アクセス・ポイントから無線ネットワークにアクセスする要求を生成することをさらに備え、前記無線層接続メッセージは、前記要求に基づいて受信される請求項２に記載の方法。
【請求項４】
前記要求は、異なる無線ネットワークからのハンドオーバに少なくとも部分的に基づいて生成される請求項３に記載の方法。
【請求項５】
前記複数のＮＡＳメッセージはそれぞれ、個々のＮＡＳパケットデータ単位の中に備えられる請求項１に記載の方法。
【請求項６】
アクセス・ポイントから、前記アクセス・ポイントを相手に複数の無線ベアラの１つを確立することとそれぞれ関係するＮＡＳ（非アクセス層）メッセージのリストを備えるＲＲＣ（無線リソース制御）メッセージを受信し、さらにＮＡＳメッセージの前記リストの中の１つのＮＡＳメッセージに関連する前記複数の無線ベアラの少なくとも１つを確立するように構成された少なくとも１つのプロセッサと、
前記少なくとも１つのプロセッサに結合されたメモリと、を備える無線通信装置。
【請求項７】
前記少なくとも１つのプロセッサは、前記アクセス・ポイントから無線ネットワークへのアクセスを要求するようにさらに構成され、前記ＲＲＣメッセージは、前記要求に応答して受信される請求項６に記載の無線通信装置。
【請求項８】
ＮＡＳメッセージの前記リストは、個別のＮＡＳパケットデータ単位の中にそれぞれ備えられた複数のＮＡＳメッセージに対応する請求項６に記載の無線通信装置。
【請求項９】
ＮＡＳメッセージの前記リストは、関連するベアラが前記アクセス・ポイントにおいて初期化されたネットワーク構成要素によって生成された複数のＮＡＳメッセージに対応する請求項６に記載の無線通信装置。
【請求項１０】
無線通信において選択された無線ベアラを確立することを円滑にする装置であって、
アクセス・ポイントから、単一のＲＲＣ（無線リソース制御）メッセージ内で、無線ベアラを確立することと関係する複数のＮＡＳ（非アクセス層）メッセージを受信するための手段と、
前記アクセス・ポイントを相手に少なくとも１つの無線ベアラを確立するための手段であって、前記少なくとも１つの無線ベアラは、前記少なくとも１つの無線ベアラに対応する前記ＮＡＳメッセージの１つに関連する手段と、を備える装置。
【請求項１１】
前記複数のＮＡＳメッセージはそれぞれ、個別のＮＡＳ  ＰＤＵ（パケットデータ単位）内に備えられる請求項１０に記載の装置。
【請求項１２】
受信するための前記手段は、リストの中で前記ＮＡＳ  ＰＤＵを受信する請求項１１に記載の装置。
【請求項１３】
前記アクセス・ポイントから無線ネットワークへのアクセスを要求するための手段をさらに備え、受信するための前記手段は、要求するための前記手段に少なくとも部分的に基づいて、前記複数のＮＡＳメッセージを受信する請求項１０に記載の装置。
【請求項１４】
少なくとも１つのコンピュータに、アクセス・ポイントを相手に無線ベアラをセット・アップすることにそれぞれが対応する複数のＮＡＳ（非アクセス層）メッセージを受信させるためのコードと、
前記少なくとも１つのコンピュータに、前記アクセス・ポイントを相手に、前記複数のＮＡＳメッセージの１つに関連する少なくとも１つの無線ベアラをセット・アップさせるためのコードと、を備えるコンピュータ可読媒体を備えるコンピュータ・プログラム製品。
【請求項１５】
前記複数のＮＡＳメッセージは、無線層接続メッセージの中に格納されたリストの中で示される請求項１４に記載のコンピュータ・プログラム製品。
【請求項１６】
前記コンピュータ可読媒体は、前記少なくとも１つのコンピュータに、前記アクセス・ポイントから無線ネットワークへのアクセスを要求させるためのコードをさらに備え、前記無線層接続メッセージは、前記要求に基づいて受信される請求項１４に記載のコンピュータ・プログラム製品。
【請求項１７】
前記複数のＮＡＳメッセージはそれぞれ、関連する個別のＮＡＳパケットデータ単位の中に備えられる請求項１４に記載のコンピュータ・プログラム製品。
【請求項１８】
アクセス・ポイントから無線ベアラを確立することと関係するＮＡＳメッセージのリストを受信するＮＡＳ（非アクセス層）受信構成要素と、
前記アクセス・ポイントを相手に、前記リストの中の１つのＮＡＳメッセージに関連する少なくとも１つの無線ベアラを確立するベアラ・セット・アップ構成要素と、を備える装置。
【請求項１９】
前記少なくとも１つの無線ベアラを介して前記アクセス・ポイントにデータを送信して、無線ネットワークと通信するベアラ通信構成要素をさらに備える請求項１８に記載の装置。
【請求項２０】
無線ネットワークへのアクセスを要求し、前記ＮＡＳ受信構成要素は、前記要求に基づいてＮＡＳメッセージの前記リストを受信する請求項１８に記載の装置。
【請求項２１】
異なる無線ネットワークからのハンドオーバに少なくとも部分的に基づいて、前記無線ネットワークへのアクセスを要求する請求項２０に記載の装置。
【請求項２２】
ＮＡＳメッセージの前記リストは、個別のＮＡＳパケットデータ単位の中にそれぞれ格納された複数のＮＡＳメッセージに対応する請求項１８に記載の装置。
【請求項２３】
無線通信において無線ベアラを選択的に確立するための方法であって、
ネットワーク構成要素から、前記複数の無線ベアラの１つにそれぞれがリンクされたＮＡＳ（非アクセス層）メッセージのリストを備える複数の無線ベアラを確立する要求を受信すること、
前記複数の無線ベアラの１つまたは複数を初期化すること、および
１つまたは複数のＮＡＳメッセージを、前記リストの中の前記ＮＡＳメッセージのいずれが、前記１つまたは複数の初期化された無線ベアラに対応するかを特定することに少なくとも部分的に基づいて、移動デバイスに転送することを備える方法。
【請求項２４】
前記移動デバイスから前記無線ネットワークへのアクセスを確立する要求を受信し、さらに前記要求を前記ネットワーク構成要素に転送することをさらに備える請求項２３に記載の方法。
【請求項２５】
前記複数の無線ベアラを確立する要求は、前記移動デバイスからの前記要求に少なくとも部分的に基づいて受信される請求項２４に記載の方法。
【請求項２６】
前記初期化された無線ベアラのリストを前記ネットワーク構成要素に供給することをさらに備える請求項２３に記載の方法。
【請求項２７】
コア無線ネットワークから、無線ベアラのリストの中の無線ベアラ・エントリ内にネスト化された複数のＮＡＳ（非アクセス層）メッセージに沿ってセット・アップされるべき該無線ベアラの該リストを備えるベアラ・セット・アップ要求メッセージを受信し、無線ベアラの前記リストの中の少なくとも１つの無線ベアラを初期化し、さらに前記少なくとも１つの初期化された無線ベアラに対応する前記リストの中の無線ベアラ・エントリ内にネスト化された前記ＮＡＳメッセージの少なくとも１つを、移動デバイスに送信するように構成された少なくとも１つのプロセッサと、
前記少なくとも１つのプロセッサに結合されたメモリと、を備える無線通信装置。
【請求項２８】
前記少なくとも１つのプロセッサは、前記移動デバイスから受信されたアクセス要求に基づいて、前記コア無線ネットワークへのアクセスを要求するようにさらに構成され、さらに前記ベアラ・セット・アップ要求は、前記コア無線ネットワークへのアクセスを要求することに応答して受信される請求項２７に記載の無線通信装置。
【請求項２９】
前記少なくとも１つのプロセッサは、前記移動デバイスから無線層通信を受信して、前記少なくとも１つの無線ベアラを確立するようにさらに構成される請求項２７に記載の無線通信装置。
【請求項３０】
無線通信において選択された無線ベアラを確立することを円滑にする装置であって、
各無線ベアラが異なるＮＡＳ（無線アクセス層）メッセージに関連する無線ベアラのリストをセット・アップする要求を受信するための手段と、
無線ベアラの前記リストの中の１つまたは複数の無線ベアラを初期化するための手段と、
前記１つまたは複数の無線ベアラに対応する前記ＮＡＳメッセージの少なくとも１つを、移動デバイスに転送するための手段と、を備える装置。
【請求項３１】
前記要求は、コア無線ネットワーク構成要素から受信される請求項３０に記載の装置。
【請求項３２】
初期化された無線ベアラのリストを前記コア無線ネットワーク構成要素に供給するための手段をさらに備える請求項３１に記載の装置。
【請求項３３】
供給するための前記手段は、初期化が失敗した無線ベアラのリストを前記コア無線ネットワーク構成要素にさらに供給する請求項３２に記載の装置。
【請求項３４】
少なくとも１つのコンピュータに、ネットワーク構成要素から、複数の無線ベアラの１つにそれぞれがリンクされたＮＡＳ（非アクセス層）メッセージのリストを備える該複数の無線ベアラを確立する要求を受信させるためのコードと、
前記少なくとも１つのコンピュータに、前記複数の無線ベアラの１つまたは複数を初期化させるためのコードと、
前記少なくとも１つのコンピュータに、前記リストの中の前記ＮＡＳメッセージのいずれが前記１つまたは複数の初期化された無線ベアラに対応するかを特定することに少なくとも部分的に基づいて、１つまたは複数のＮＡＳメッセージを移動デバイスに転送させるためのコードを備えるコンピュータ可読媒体を備えるコンピュータ・プログラム製品。
【請求項３５】
前記コンピュータ可読媒体は、前記少なくとも１つのコンピュータに、前記移動デバイスから、前記無線ネットワークへのアクセスを確立する要求を受信させ、さらに前記要求を前記ネットワーク構成要素に転送させるためのコードをさらに備える請求項３４に記載のコンピュータ・プログラム製品。
【請求項３６】
リストの中で示される各無線ベアラが、関連するＮＡＳ（非アクセス層）メッセージを含む無線ベアラの該リストを確立する要求を獲得するベアラ要求受信構成要素と、
無線ベアラの前記リストの中の１つまたは複数の無線ベアラを初期化するベアラ・セット・アップ構成要素と、
前記１つまたは複数の無線ベアラに関連付けられたＮＡＳメッセージを移動デバイスに供給するＮＡＳ転送構成要素と、を備える装置。
【請求項３７】
無線ネットワーク・アクセスを求める要求を前記移動デバイスから受信する請求項３６に記載の装置。
【請求項３８】
前記ベアラ要求構成要素は、ネットワーク・アクセスを求める前記要求に応答して、無線ベアラの前記リストを確立する前記要求を獲得する請求項３７に記載の装置。
【請求項３９】
無線通信において無線ベアラを選択的に確立するための方法であって、
アクセス・ポイントからネットワーク・アクセス要求を受信したことに少なくとも部分的に基づいて、セット・アップされるべき無線ベアラのリストを生成すること、
関連する無線ベアラをセット・アップするために前記リストの各エントリに関して別個のＮＡＳ（非アクセス層）メッセージを作成すること、および
無線ベアラの前記リスト、および関連するＮＡＳメッセージを前記アクセス・ポイントに送信することを備える方法。
【請求項４０】
前記リストの中の各エントリに関する前記別個のＮＡＳメッセージは、前記リストの中の前記関連する無線ベアラに関するエントリ内に埋め込まれる請求項３９に記載の方法。
【請求項４１】
前記リストの中の各エントリに関する前記別個のＮＡＳメッセージは、前記アクセス・ポイントを相手に前記関連する無線ベアラを確立するために無線デバイスに向けられた命令を指定する請求項３９に記載の方法。
【請求項４２】
無線ベアラの前記リストの中の各無線ベアラは、無線ベアラの前記リストの中で指定された異なるサービス品質と関係する請求項３９に記載の方法。
【請求項４３】
アクセス・ポイントからネットワーク・アクセス要求を受信したことに少なくとも部分的に基づいて、セット・アップされるべき無線ベアラのリストを作成し、前記リストの各無線ベアラ・エントリに対応する別個のＮＡＳ（非アクセス層）メッセージを挿入し、さらに無線ベアラの前記リストを前記アクセス・ポイントに送信するように構成された少なくとも１つのプロセッサと、
前記少なくとも１つのプロセッサに結合されたメモリと、を備える無線通信装置。
【請求項４４】
前記リストの中の各エントリに関する前記別個のＮＡＳメッセージは、前記アクセス・ポイントを相手に前記関連する無線ベアラを確立するために移動デバイスに向けられた命令を指定する請求項４３に記載の無線通信装置。
【請求項４５】
無線通信において選択された無線ベアラを確立することを円滑にする装置であって、
無線ネットワークにおいて通信するための所与の無線ベアラをセット・アップすることと関係する別々のＮＡＳ（非アクセス層）メッセージを生成するための手段と、
ベアラ・セット・アップ要求の中で前記別々のＮＡＳメッセージと前記所与の無線ベアラとの間の関連付けを示し、さらに前記ベアラ・セット・アップ要求をアクセス・ポイントに送信するための手段とを備える装置。
【請求項４６】
関連付けを示すための前記手段は、前記ベアラ・セット・アップ要求の中に格納された前記所与の無線ベアラのリストの中の個々のエントリの中に前記別々のＮＡＳメッセージを埋め込む請求項４５に記載の装置。
【請求項４７】
少なくとも１つのコンピュータに、アクセス・ポイントからネットワーク・アクセス要求を受信したことに少なくとも部分的に基づいて、セット・アップされるべき無線ベアラのリストを生成させるためのコードと、
前記少なくとも１つのコンピュータに、関連する無線ベアラをセット・アップするために前記リストの各エントリに関して別個のＮＡＳ（非アクセス層）メッセージを作成させるためのコードと、
前記少なくとも１つのコンピュータに、無線ベアラの前記リスト、および関連するＮＡＳメッセージを前記アクセス・ポイントに送信させるためのコードと、を備えるコンピュータ可読媒体を備えるコンピュータ・プログラム製品。
【請求項４８】
前記リストの中の各エントリに関する前記別個のＮＡＳメッセージは、前記リストの前記関連するエントリ内に埋め込まれる請求項４７に記載のコンピュータ・プログラム製品。
【請求項４９】
無線ネットワークにおいて通信するための所与の無線ベアラをセット・アップすることと関係する別々のＮＡＳ（非アクセス層）メッセージを生成するＮＡＳメッセージ構成要素と、
ベアラ・セット・アップ要求の中で前記別々のＮＡＳメッセージを前記所与の無線ベアラにリンクし、さらに前記ベアラ・セット・アップ要求をアクセス・ポイントに送信するベアラ要求構成要素と、を備える装置。
【請求項５０】
前記ベアラ要求構成要素は、前記ベアラ・セット・アップ要求の中に格納された前記所与の無線ベアラのリストの中の個々のエントリの中に前記別々のＮＡＳメッセージを埋め込む請求項４９に記載の装置。
【発明の詳細な説明】
【技術分野】
【０００１】
相互参照
本出願は、参照により全体が本明細書に組み込まれている、２００８年４月４日に出願した、「HANDLING OF REJECTION OF EPS BEARER SETUP IN E-UTRAN/EPS」という名称の米国特許仮出願第６１／０４２，６７６号の利益を主張する。
【０００２】
本開示は、一般に、無線通信に関し、より具体的には、無線ベアラ確立に関する。
【背景技術】
【０００３】
無線通信システムは、例えば、音声、データなどの様々なタイプの通信コンテンツを提供するように広く開発されている。通常の無線通信システムは、利用可能なシステムリソース（例えば、帯域幅、送信電力など）を共有することによって、複数のユーザとの通信をサポートすることができる多元接続システムであることが可能である。そのような多元接続システムの例には、ＣＤＭＡ（符号分割多元接続）システム、ＴＤＭＡ（時分割多元接続）システム、ＦＤＭＡ（周波数分割多元接続）システム、ＯＦＤＭＡ（直交周波数分割多元接続）システムなどが含まれることが可能である。さらに、システムは、Ｅ−ＵＴＲＡ（進化型ユニバーサル地上無線アクセス）を利用して無線デバイス間の無線通信を円滑にすることができる、３ＧＰＰ（第３世代パートナーシップ・プロジェクト）、３ＧＰＰ  ＬＴＥ（長期的進化（Long  Term  Evolution））、ＵＭＢ（ウルトラ・モバイル・ブロードバンド（Ultra  Mobile  Broadband））などの規格、および／またはＥＶ−ＤＯ（進化データ最適化型（Evolution  Data  Optimized））などのマルチキャリア無線規格、以上の１つまたは複数の改訂版に準拠することが可能である。また、Ｅ−ＵＴＲＡは、３ＧＰＰ  ＬＴＥなどのＥＰＳ（進化型パケット・システム（EVOLVED  PACKET  SYSTEM））において利用されることも可能である。
【０００４】
一般に、無線多元接続通信システムは、複数の移動デバイスに関する通信を同時にサポートすることができる。各移動デバイスは、順方向リンク上、および逆方向リンク上の伝送を介して１つまたは複数の基地局と通信することができる。順方向リンク（またはダウンリンク）とは、基地局から移動デバイスに至る通信リンクを指し、逆方向リンク（またはアップリンク）とは、移動デバイスから基地局に至る通信リンクを指す。さらに、移動デバイスと基地局の間の通信は、ＳＩＳＯ（単入力単出力）システム、ＭＩＳＯ（多入力単出力）システム、ＭＩＭＯ（多入力多出力）システムなどを介して確立されることが可能である。さらに、ピアツーピア無線ネットワーク構成において、移動デバイスは、他の移動デバイスと通信することができ（さらに／または基地局は、他の基地局と通信することができる）。
【０００５】
Ｅ−ＵＴＲＡネットワークにおいて、基地局または他のアクセス・ポイントは、ＲＲＣ（無線リソース制御）層などの無線通信層において移動デバイスとのベアラを確立して、様々なタイプの通信と関係する複数のレベルのサービスをサポートすることができる。基地局は、コア・ネットワークからの要求に基づいて（例えば、コア・ネットワークが、ネットワーク・アクセス要求に基づく通信に関して移動デバイスを許可する場合に）、移動デバイスとのベアラを確立することができる。この目的で、ネットワークは、ＮＡＳ（非アクセス層）メッセージを生成して、ベアラ・セット・アップ要求に付加して、基地局が、要求を受信し、ベアラを初期化し、さらにこのＮＡＳメッセージを移動デバイスに転送することができるようにする。ＮＡＳメッセージは、ベアラのセット・アップ、および移動デバイスによるベアラの後の利用を円滑にする。
【０００６】
ＵＭＴＳ（ユニバーサル移動体通信システム）ネットワークにおいて、ネットワークは、１度に１つだけしか新たなベアラを確立することができない。Ｅ−ＵＴＲＡおよびＥＰＳにおいては、複数の新たなベアラが同時に確立されることが可能である。この目的で、可能な１つの実施態様は、ＮＡＳメッセージが複数のベアラと関係するとともに、ネットワークによって生成され、すべてのベアラに関して単一のＮＡＳ  ＰＤＵ（パケットデータ単位）を使用して基地局に送信されるベアラ・セット・アップ要求に付加されることである。一部の事例において、基地局は、ベアラ・セット・アップ要求の中で示される１つまたは複数のベアラを初期化することができず（例えば、受付け制御および／またはそれに類することのため）、基地局は、ベアラ・セット・アップ要求全体の失敗をネットワークに示す。通常、この失敗を受信したことに基づいて、コア・ネットワークは、基地局が移動デバイスに関する要求されたベアラをうまくセット・アップすることができるまで、新たなベアラ・セット・アップ要求の中で送信されるベアラと関連するＮＡＳメッセージの様々な組合せを試みることが可能である。
【発明の概要】
【０００７】
以下に、主張される主題の様々な態様の簡略化された概要を、そのような態様の基本的な理解をもたらすために提示する。この概要は、企図されるすべての態様の広範な概観ではなく、重要な要素もしくは不可欠な要素を特定することも、そのような態様の範囲を線引きすることも意図していない。この概要の唯一の目的は、後段で提示されるより詳細な説明の前置きとして、開示される態様のいくつかの概念を簡略化された形態で提示することである。
【０００８】
１つまたは複数の実施形態、およびそれらの実施形態の対応する開示に従って、Ｅ−ＵＴＲＡ（進化型ユニバーサル地上無線アクセス）ネットワーク、または類似するネットワークにおける選択的ベアラ・セット・アップを円滑にすることに関連して、様々な態様が説明される。詳細には、無線ネットワークが、セット・アップされるべきベアラのリストを備えるベアラ・セット・アップ要求をアクセス・ポイントに送信することができる。リストの中の各ベアラに関して、所与のベアラと関係する別個のＮＡＳ（非アクセス層）ＰＤＵ（パケットデータ単位）が、要求の中で指定されることが可能である。これに関して、アクセス・ポイントは、１つまたは複数のベアラをセット・アップすることに失敗し、それらのベアラに関してだけ失敗をネットワークに示す一方で、セット・アップが成功したベアラと関係する移動デバイスに適切なＮＡＳ通信を提供する。したがって、移動デバイスは、初期化されることに成功した各ベアラに関して別個のＮＡＳ  ＰＤＵを受信し、このＰＤＵ内のＮＡＳメッセージの中の情報を使用して、アクセス・ポイントを相手に所与のベアラをセット・アップすることができる。
【０００９】
関連する態様によれば、無線通信において複数の無線ベアラを確立するための方法が、提供される。この方法は、アクセス・ポイントを相手に無線ベアラをセット・アップすることにそれぞれが対応する複数のＮＡＳメッセージを受信することを含む。また、この方法は、アクセス・ポイントを相手に少なくとも１つの無線ベアラをセット・アップすることも含み、この少なくとも１つの無線ベアラは、その複数のＮＡＳメッセージの１つに関連する。
【００１０】
別の態様は、無線通信装置に関する。この無線通信装置は、アクセス・ポイントから、そのアクセス・ポイントを相手に複数の無線ベアラの１つを確立することとそれぞれが関係するＮＡＳメッセージのリストを備えるＲＲＣメッセージを受信するように構成された少なくとも１つのプロセッサを含むことが可能である。このプロセッサは、その複数の無線ベアラの少なくとも１つを確立するようにさらに構成され、この少なくとも１つの無線ベアラは、ＮＡＳメッセージのリストの中の１つのＮＡＳメッセージに関連する。また、この無線通信装置は、その少なくとも１つのプロセッサに結合されたメモリも備える。
【００１１】
さらに別の態様は、無線通信において選択された無線ベアラを確立することを円滑にする無線通信装置に関する。この無線通信装置は、単一のＲＲＣメッセージ内で、アクセス・ポイントから無線ベアラを確立することと関係する複数のＮＡＳメッセージを受信するための手段を備えることが可能である。無線通信装置は、アクセス・ポイントを相手に少なくとも１つの無線ベアラを確立するための手段をさらに含むことが可能であり、この少なくとも１つの無線ベアラは、この少なくとも１つの無線ベアラに対応するＮＡＳメッセージの１つに関連する。
【００１２】
さらに別の態様は、少なくとも１つのコンピュータに、アクセス・ポイントを相手に無線ベアラをセット・アップすることにそれぞれが対応する複数のＮＡＳメッセージを受信させるためのコードを含むコンピュータ可読媒体を有することが可能なコンピュータ・プログラム製品に関する。また、このコンピュータ可読媒体は、その少なくとも１つのコンピュータに、アクセス・ポイントを相手に少なくとも１つの無線ベアラをセット・アップさせるためのコードを備えることも可能であり、この少なくとも１つの無線ベアラは、複数のＮＡＳメッセージの１つに関連する。
【００１３】
さらに、さらなる態様は、装置に関する。この装置は、アクセス・ポイントから、無線ベアラを確立することと関係するＮＡＳメッセージのリストを受信するＮＡＳ受信構成要素を含むことが可能である。この装置は、アクセス・ポイントを相手に少なくとも１つの無線ベアラを確立するベアラ・セット・アップ構成要素をさらに含むことが可能であり、この少なくとも１つの無線ベアラは、リストの中の１つのＮＡＳメッセージに関連する。
【００１４】
さらなる態様によれば、無線通信において無線ベアラを選択的に確立するための方法が、提供される。この方法は、ネットワーク構成要素からの複数の無線ベアラの１つにそれぞれがリンクされたＮＡＳメッセージのリストを備える、複数の無線ベアラを確立する要求を受信することを含む。さらに、この方法は、その複数の無線ベアラの１つまたは複数を初期化するとともに、リストの中のＮＡＳメッセージのいずれが、この１つまたは複数の初期化された無線ベアラに対応するかを特定することに少なくとも部分的に基づいて、移動デバイスに１つまたは複数のＮＡＳメッセージを転送することを含むことが可能である。
【００１５】
別の態様は、無線通信装置に関する。この無線通信装置は、コア無線ネットワークから、セット・アップされるべき無線ベアラのリストを備えるベアラ・セット・アップ要求メッセージを、リストの中の無線ベアラ・エントリ内にネスト化された複数のＮＡＳメッセージと一緒に受信するように構成された少なくとも１つのプロセッサを含むことが可能である。このプロセッサは、無線ベアラのリストの中の少なくとも１つの無線ベアラを初期化し、さらにこの少なくとも１つの初期化された無線ベアラに対応する、リストの中の無線ベアラ・エントリ内でネスト化されたＮＡＳメッセージの少なくとも１つを、移動デバイスに送信するようにさらに構成される。また、この無線通信装置は、その少なくとも１つのプロセッサに結合されたメモリも備える。
【００１６】
さらに別の態様は、無線通信において選択された無線ベアラを確立することを円滑にする無線通信装置に関する。この無線通信装置は、各無線ベアラが異なるＮＡＳメッセージに関連する無線ベアラのリストをセット・アップする要求を受信するための手段と、無線ベアラのリストの中の１つまたは複数の無線ベアラを初期化するための手段とを備えることが可能である。この無線通信装置は、その１つまたは複数の無線ベアラに対応するＮＡＳメッセージの少なくとも１つを、移動デバイスに転送するための手段をさらに含むことが可能である。
【００１７】
さらに別の態様は、少なくとも１つのコンピュータに、ネットワーク構成要素から、複数の無線ベアラの１つにそれぞれがリンクされたＮＡＳメッセージのリストを備える、複数の無線ベアラを確立する要求を受信させるためのコードを含むコンピュータ可読媒体を有することが可能なコンピュータ・プログラム製品に関する。また、このコンピュータ可読媒体は、少なくとも１つのコンピュータに、その複数の無線ベアラの１つまたは複数を初期化させるためのコードをさらに備えることも可能である。さらに、このコンピュータ可読媒体は、リストの中のＮＡＳメッセージのいずれが、この１つまたは複数の初期化された無線ベアラに対応するかを特定することに少なくとも部分的に基づいて、移動デバイスに１つまたは複数のＮＡＳメッセージを転送するように少なくとも１つのコンピュータにさせるためのコードを備えることも可能である。
【００１８】
さらに、さらなる態様は、装置に関する。この装置は、示される各無線ベアラが、関連するＮＡＳメッセージを含む、無線ベアラのリストを確立する要求を獲得するベアラ要求受信構成要素と、無線ベアラのリストの中の１つまたは複数の無線ベアラを初期化するベアラ・セット・アップ構成要素とを含むことが可能である。この装置は、１つまたは複数の無線ベアラに関連するＮＡＳメッセージを、移動デバイスに供給するＮＡＳ転送構成要素をさらに含むことが可能である。
【００１９】
さらに、さらなる態様は、無線通信において無線ベアラを選択的に確立するための方法に関する。この方法は、アクセス・ポイントからネットワーク・アクセス要求を受信することに少なくとも部分的に基づいて、セット・アップされるべき無線ベアラのリストを生成することを含むことが可能である。この方法は、関連する無線ベアラをセット・アップするためにリストの各エントリに関して別個のＮＡＳメッセージを作成して、無線ベアラのリスト、および関連するＮＡＳメッセージを、アクセス・ポイントに送信することをさらに含むことが可能である。
【００２０】
別の態様は、無線通信装置に関する。無線通信装置は、アクセス・ポイントからネットワーク・アクセス要求を受信することに少なくとも部分的に基づいて、セット・アップされるべき無線ベアラのリストを作成するように構成された少なくとも１つのプロセッサを含むことが可能である。このプロセッサは、リストの各無線ベアラ・エントリに対応する別個のＮＡＳメッセージを挿入し、さらに無線ベアラのリストをアクセス・ポイントに送信するようにさらに構成される。また、この無線通信装置は、その少なくとも１つのプロセッサに結合されたメモリも備える。
【００２１】
別の態様は、無線通信において選択された無線ベアラを確立することを円滑にする無線通信装置に関する。この無線通信装置は、無線ネットワークにおいて通信するために所与の無線ベアラをセット・アップすることと関係する別々のＮＡＳメッセージを生成するための手段を備えることが可能である。この無線通信装置は、ベアラ・セット・アップ要求の中で別々のＮＡＳメッセージと、それらの所与の無線ベアラとの間の関連付けを示し、さらにこのベアラ・セット・アップ要求をアクセス・ポイントに送信するための手段をさらに含むことが可能である。
【００２２】
さらに別の態様は、アクセス・ポイントからネットワーク・アクセス要求を受信することに少なくとも部分的に基づいて、少なくとも１つのコンピュータにセット・アップされるべき無線ベアラのリストを生成させるためのコードを含むコンピュータ可読媒体を有することが可能なコンピュータ・プログラム製品に関する。また、このコンピュータ可読媒体は、少なくとも１つのコンピュータに、関連する無線ベアラをセット・アップするためにリストの各エントリに関して別個のＮＡＳメッセージを作成させるためのコードを備えることも可能である。さらに、このコンピュータ可読媒体は、無線ベアラのリスト、および関連するＮＡＳメッセージをアクセス・ポイントに送信するように少なくとも１つのコンピュータにさせるためのコードを備えることが可能である。
【００２３】
さらに、さらなる態様は、装置に関する。この装置は、無線ネットワークにおいて通信するために所与の無線ベアラをセット・アップすることと関係する別々のＮＡＳメッセージを生成するＮＡＳメッセージ構成要素を含むことが可能である。この装置は、ベアラ・セット・アップ要求の中でそれらの所与の無線ベアラに別々のＮＡＳメッセージをリンクして、さらにこのベアラ・セット・アップ要求をアクセス・ポイントに送信するベアラ要求構成要素をさらに含むことが可能である。
【００２４】
以上、および関連する目的を実現するのに、１つまたは複数の実施形態は、後段でより完全に説明され、特許請求の範囲において特に指摘される特徴を備える。以下の説明、および添付の図面は、この１つまたは複数の実施形態の、いくつかの例示的な態様を詳細に示す。しかし、これらの態様は、様々な実施形態の原理が使用され得る様々な仕方のいくつかだけを示すに過ぎず、説明される実施形態は、すべてのそのような態様および均等の態様を含むことが意図されている。
【図面の簡単な説明】
【００２５】
【図１】無線通信ネットワークにおいて無線ベアラを選択的に確立するためのシステムを示すブロック図。
【図２】無線通信環境内で使用するための例示的な通信装置を示す図。
【図３】無線ベアラの選択的確立を実行する例示的な無線通信ネットワークを示す図。
【図４】初期化されたベアラだけに関してＮＡＳ（非アクセス層）メッセージを転送する例示的な無線通信システムを示す図。
【図５】無線ベアラ確立を円滑にする例示的な無線通信システムを示す図。
【図６】受信されたＮＡＳメッセージに従って複数の無線ベアラを確立することを円滑にする例示的な方法を示す流れ図。
【図７】初期化されることに成功した無線ベアラに関するＮＡＳメッセージを転送する例示的な方法を示す流れ図。
【図８】各ベアラに関して別々のＮＡＳメッセージを含む無線ベアラ・セット・アップを要求するための例示的な方法を示す流れ図。
【図９】受信されたＮＡＳメッセージに従って無線ベアラを確立することを円滑にする例示的な装置を示すブロック図。
【図１０】ベアラ・セット・アップ要求を受信して、ベアラの一部を選択的に確立することを円滑にする例示的な装置を示すブロック図。
【図１１】無線通信においてベアラ確立を要求することを円滑にする例示的な装置を示すブロック図。
【図１２】本明細書で説明される機能の様々な態様を実施するのに利用され得る例示的な無線通信デバイスを示すブロック図。
【図１３】本明細書で説明される機能の様々な態様を実施するのに利用され得る例示的な無線通信デバイスを示すブロック図。
【図１４】本明細書で説明される様々な態様による例示的な無線多元接続通信システムを示す図。
【図１５】本明細書で説明される様々な態様が機能することが可能である例示的な無線通信システムを示すブロック図。
【発明を実施するための形態】
【００２６】
次に、主張される主題の様々な態様を、すべての図面において同様の要素を指すのに同様の符号が使用される、図面を参照して説明する。以下の説明において、説明の目的で、１つまたは複数の態様の完全な理解をもたらすために、多数の特定の詳細が示される。しかし、そのような態様は、これらの特定の詳細なしに実施されることも可能であることが、明白であり得る。その他、よく知られた構造およびデバイスは、１つまたは複数の態様を説明することを円滑にするためにブロック図形態で示される。
【００２７】
本出願において使用される、「構成要素」、「モジュール」、「システム」などの用語は、ハードウェア、ファームウェア、ハードウェアとソフトウェアの組合せ、ソフトウェア、または実行中のソフトウェアである、コンピュータ関連のエンティティを指すことを意図している。例えば、構成要素は、プロセッサ上で実行されているプロセス、集積回路、オブジェクト、実行可能ファイル、実行のスレッド、プログラム、および／またはコンピュータであることが可能であるが、以上には限定されない。例として、コンピューティング・デバイス上で実行されているアプリケーションと、そのコンピューティング・デバイスがともに、構成要素であり得る。１つまたは複数の構成要素が、プロセス内、および／または実行のスレッド内に存在することが可能であり、構成要素は、１つのコンピュータ上に局所化されること、および／または２つ以上のコンピュータの間に分散されることが可能である。さらに、これらの構成要素は、様々なデータ構造を格納している様々なコンピュータ可読媒体から実行されることが可能である。これらの構成要素は、１つまたは複数のデータパケットを有する信号に従うなどして（例えば、１つの構成要素からのデータが、信号によって、ローカルシステムにおける別の構成要素と、分散システムにおける別の構成要素と、さらに／またはインターネットなどのネットワークを介して他のシステムと対話して）、ローカルプロセスおよび／または遠隔プロセスを介して通信することができる。
【００２８】
さらに、様々な態様が、無線端末装置および／または基地局に関連して本明細書で説明される。無線端末装置は、ユーザに音声接続および／またはデータ接続を提供するデバイスを指すことが可能である。無線端末装置は、ラップトップ・コンピュータもしくはデスクトップ・コンピュータなどのコンピューティング・デバイスに接続されることが可能であり、あるいはＰＤＡ（携帯情報端末）などの自己完結型のデバイスであることが可能である。無線端末装置は、システム、加入者ユニット、加入者局、移動局、移動体、遠隔局、アクセス・ポイント、遠隔端末装置、アクセス端末装置、ユーザ端末装置、ユーザエージェント、ユーザデバイス、またはＵＥ（ユーザ機器）と呼ばれることも可能である。無線端末装置は、加入者局、無線デバイス、セルラ電話機、ＰＣＳ電話機、コードレス電話機、ＳＩＰ（セッション開始プロトコル）電話機、ＷＬＬ（無線ローカルループ）局、ＰＤＡ（携帯情報端末）、無線接続能力を有するハンドヘルド・デバイス、または無線モデムに接続された他の処理デバイスであることが可能である。基地局（例えば、アクセス・ポイントまたはｅＮＢ（進化型ノードＢ））とは、無線インターフェースを介して、１つまたは複数のセクタを通して無線端末装置と通信するアクセス・ネットワークにおけるデバイスを指すことが可能である。基地局は、受信された無線インターフェース・フレームをＩＰ（インターネット・プロトコル）パケットに変換することによって、無線端末装置と、ＩＰネットワークを含むことが可能なアクセス・ネットワークの残りの部分との間でルータの役割をすることができる。また、基地局は、無線インターフェースに関する属性の管理を調整する。
【００２９】
さらに、本明細書で説明される様々な機能は、ハードウェアで、ソフトウェアで、ファームウェアで、または以上の組合せで実施されることが可能である。ソフトウェアで実施される場合、これらの機能は、１つまたは複数の命令もしくはコードとしてコンピュータ可読媒体上に格納される、またはコンピュータ可読媒体を介して伝送されることが可能である。コンピュータ可読媒体は、１つの場所から別の場所にコンピュータ・プログラムを移すことを円滑にする任意の媒体を含む、コンピュータ記憶媒体と通信媒体の両方を含む。記憶媒体は、コンピュータによってアクセスされ得る任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスク・ストレージ、磁気ディスク・ストレージもしくは他の磁気ストレージ・デバイス、または命令もしくはデータ構造の形態で所望されるプログラム・コードを伝送する、もしくは格納するのに使用されることが可能であり、さらにコンピュータによってアクセスされることが可能な他の任意の媒体を備えることが可能である。また、任意の接続が、コンピュータ可読媒体と適切に呼ばれる。例えば、ソフトウェアが、同軸ケーブル、光ファイバケーブル、より対線、ＤＳＬ（ディジタル加入者線）、または赤外線、電波、およびマイクロ波などの無線技術を使用してウェブサイト、サーバ、または他の遠隔ソースから送信される場合、その同軸ケーブル、光ファイバケーブル、より対線、ＤＳＬ、または赤外線、電波、およびマイクロ波などの無線技術が、媒体の定義に含められる。本明細書で使用されるディスク（disk）およびディスク（disc）には、コンパクト・ディスク（disc）、レーザ・ディスク（disc）、光ディスク（disc）、ＤＶＤ（ディジタル・バーサタイル・ディスク（disc））、フロッピー（登録商標）・ディスク（disk）、およびＢＤ（ブルーレイ・ディスク（disc））が含まれ、ただし、ディスク（disk）は、通常、データを磁気的に再現し、ディスク（disc）は、レーザを使用してデータを光学的に再現する。また、以上の媒体の組合せも、コンピュータ可読媒体の範囲に含められなければならない。
【００３０】
本明細書で説明される様々な技術は、ＣＤＭＡ（符号分割多元接続）システム、ＴＤＭＡ（時分割多元接続）システム、ＦＤＭＡ（周波数分割多元接続）システム、ＯＦＤＭＡ（直交周波数分割多元接続）システム、ＳＣ−ＦＤＭＡ（シングルキャリアＦＤＭＡ）システム、および他のそのようなシステムなどの、様々な無線通信システムのために使用されることが可能である。「システム」という用語と「ネットワーク」という用語は、本明細書では、しばしば、互換的に使用される。ＣＤＭＡシステムは、ＵＴＲＡ（ユニバーサル地上無線アクセス）、ＣＤＭＡ２０００などの無線技術を実施することが可能である。ＵＴＲＡは、Ｗ−ＣＤＭＡ（広帯域ＣＤＭＡ）、およびＣＤＭＡの他の変種を含む。さらに、ＣＤＭＡ２０００は、ＩＳ−２０００標準、ＩＳ−９５標準、およびＩＳ−８５６標準を範囲に含む。ＴＤＭＡシステムは、ＧＳＭ（登録商標）（グローバル・システム・フォー・モバイル・コミュニケーションズ（Global  System  for  Mobile  Communications））などの無線技術を実施することが可能である。ＯＦＤＭＡシステムは、Ｅ−ＵＴＲＡ（進化型ＵＴＲＡ）、ＵＭＢ（ウルトラモバイルブロードバンド）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実施することが可能である。ＵＴＲＡおよびＥ−ＵＴＲＡは、ＵＭＴＳ（ユニバーサル移動体通信システム）の一部である。３ＧＰＰ  ＬＴＥ（長期的進化）が、ダウンリンク上でＯＦＤＭＡを用い、アップリンク上でＳＣ−ＦＤＭＡを用いる、Ｅ−ＵＴＲＡを使用する、来るべきリリースである。ＵＴＲＡ、Ｅ−ＵＴＲＡ、ＵＭＴＳ、ＬＴＥ、およびＧＳＭは、３ＧＰＰ（「第３世代パートナーシップ・プロジェクト」）という名称の組織からの文書において説明されている。さらに、ＣＤＭＡ２０００およびＵＭＢは、３ＧＰＰ２（「第３世代パートナーシップ・プロジェクト２」）という名称の組織からの文書において説明されている。
【００３１】
様々な態様が、いくつかのデバイス、構成要素、モジュールなどを含むことが可能なシステムに関して提示される。これらの様々なシステムは、追加のデバイス、構成要素、モジュールなどを含むことが可能であり、さらに／または図に関連して説明されるデバイス、構成要素、モジュールなどのすべてを含むわけではない可能性があることを理解し、認識されたい。また、これらのアプローチの組合せが、使用されることも可能である。
【００３２】
次に図面を参照すると、図１は、無線通信ネットワークにおいて選択的ベアラ・セット・アップを円滑にするシステム１００を示す。詳細には、コア無線ネットワーク１０６へのアクセスを無線デバイス１０４に提供するアクセス・ポイント１０２が示される。例えば、アクセス・ポイント１０２は、バックホールを介して、ネットワーク・コントローラを使用して、無線で、さらに／または以上に類する仕方でコア無線ネットワーク１０６と通信することが可能である。無線デバイス１０４が、一例では、アクセス・ポイント１０２との無線通信の確立を要求して、コア無線ネットワーク１０６と通信することが可能である。無線通信は、例えば、ＡＳ（アクセス層）メッセージを使用して、ＲＲＣ（無線リソース制御）層を介して確立されることが可能である。一例において、無線デバイス１０４は、異なるアクセス・ポイント（図示せず）からアクセス・ポイント１０２に通信をハンドオーバすることに少なくとも部分的に基づいて、この要求を作成することができる。或る例では、アクセス・ポイント１０２と異なるアクセス・ポイントは、異なるプロトコルを使用してデバイスと通信する、異なる機能を提供する、異なるタイプのコア無線ネットワークと通信する、および／または以上に類することを行うことが可能である。
【００３３】
アクセス・ポイント１０２と無線デバイス１０４の間で無線通信を確立することは、それぞれが、例えば、所与のタイプの通信に関する或るレベルのサービスを提供することができる複数の無線ベアラのセット・アップを含むことが可能である。一例において、ベアラは、音声通信、データ通信、ビデオ通信、オーディオ通信などのために確立されて、同時に利用されることが可能である。或る例によれば、無線デバイス１０４は、アクセス・ポイント１０２を介してコア無線ネットワーク１０６へのアクセスを要求することが可能である。無線デバイス１０４を許可すると、一例では、コア無線ネットワーク１０６は、無線デバイス１０４との様々なタイプの通信を円滑にする、無線デバイス１０４との無線ベアラをセット・アップする要求を、アクセス・ポイント１０２に送信することが可能である。コア無線ネットワーク１０６は、無線ベアラをセット・アップする要求と一緒に（さらに／またはその要求内で）生成されたＮＡＳ（非アクセス層）メッセージの中の各ベアラを利用することに関する無線デバイス１０４に対する命令を含むことが可能である。個々のＮＡＳメッセージは、本明細書で説明されるとおり、ベアラ・セット・アップ要求の中で供給され、分離されて、選択的ベアラ確立を許すことが可能である。
【００３４】
このため、例えば、ベアラ・セット・アップ要求を受信すると、アクセス・ポイント１０２は、それらの要求されたベアラを初期化しようと試みることが可能である。一例では、いくつかの初期化は、成功することが可能であり、いくつかは、失敗することが可能であり、このことは、受付け制御、リソース利用可能性、帯域幅能力、および／または以上に類することを含む、様々な要因に依存することが可能である。ベアラがセット・アップされることに成功した場合、アクセス・ポイント１０２は、関連するＮＡＳメッセージを無線デバイス１０４に転送して、無線デバイス１０４が、アクセス・ポイント１０２を相手にベアラを確立し、その後、このベアラを介して通信することを可能にすることができる。さらに、アクセス・ポイント１０２は、或る例では、ベアラのセット・アップの成功をコア無線ネットワーク１０６に示すことが可能である。ベアラが、アクセス・ポイント１０２においてうまくセット・アップされることが可能でない場合、ＮＡＳメッセージは、無線デバイス１０４に送信されず、アクセス・ポイント１０２は、一例では、ベアラ・セット・アップの失敗をコア無線ネットワーク１０６に示すことが可能である。これに関して、ベアラは、アクセス・ポイント１０２が、初期化されたベアラに対応するＮＡＳメッセージを特定し、それらのＮＡＳメッセージを無線デバイス１０４に転送することを許すことによって、選択的にセット・アップされ、扱われることが可能である。
【００３５】
次に図２を参照すると、無線通信ネットワークに参加することができる通信装置２００が示されている。通信装置２００は、移動デバイス、基地局、基地局の一部分、または無線ネットワークへのアクセスをもたらすことができる実質的に任意のデバイスであることが可能である。通信装置２００は、１つまたは複数のコア・ネットワーク構成要素（図示せず）からベアラ・セット・アップ要求を獲得するベアラ要求受信構成要素２０２と、ベアラ・セット・アップ要求の中で示される１つまたは複数のベアラを初期化するベアラ・セット・アップ構成要素２０４と、コア・ネットワーク構成要素から受信されたＮＡＳメッセージを１つまたは複数の移動デバイス（図示せず）に供給するＮＡＳ転送構成要素２０６とを含むことが可能である。
【００３６】
或る例によれば、ベアラ要求受信構成要素２０２は、無線ネットワークにおいてベアラ・セット・アップ要求を受信することが可能である。ベアラ・セット・アップ要求は、例えば、無線ネットワークにアクセスする要求に応答して、受信されることが可能である。一例において、無線ネットワークは、Ｅ−ＵＴＲＡネットワークであることが可能であり、ベアラ・セット・アップ要求は、１つまたは複数のＥＰＳ（進化型パケット・システム）ベアラと関係することが可能である。このベアラ・セット・アップ要求は、例えば、所望されるベアラに関する情報、ならびに移動デバイスにおいてベアラを利用することに関する命令を備えるＮＡＳメッセージを備えることが可能である。説明されるとおり、選択的ベアラ・セット・アップをもたらす、各ベアラに対応する１つまたは複数のＮＡＳメッセージが存在することが可能であり、さらにこれらのＮＡＳメッセージは、それらの所与のベアラにリンクされる（例えば、適切なベアラ情報の中にネスト化される、ベアラ情報の中でリンクされる、ベアラにＮＡＳメッセージをマッチさせるリストを使用してリンクされる、および／または以上に類する仕方でリンクされる）ことが可能である。
【００３７】
ベアラ・セット・アップ要求を受信すると、ベアラ・セット・アップ構成要素２０４は、１つまたは複数の移動デバイスによって使用されるようにベアラの１つまたは複数を初期化することができる。セット・アップされることに成功したベアラに関して、ベアラ・セット・アップ構成要素２０４は、関連するＮＡＳメッセージをＮＡＳ転送構成要素２０６に供給することができる。ＮＡＳ転送構成要素２０６は、無線ベアラを使用して通信を確立することを円滑にするＮＡＳメッセージを移動デバイスに送信することが可能である。さらに、一例において、ベアラ・セット・アップ構成要素２０４は、ベアラ・セット・アップの成功をコア・ネットワーク構成要素に報告することが可能である。セット・アップされることに成功しなかったベアラに関して、ベアラ・セット・アップ構成要素２０４は、関連するＮＡＳメッセージを無視し、さらに／または破棄する、さらに／または、説明されるとおり、失敗をコア・ネットワーク構成要素に示すことが可能である。
【００３８】
次に図３を参照すると、示されているのは、無線ネットワークにおいて個別のベアラ・セット・アップを円滑にする無線通信システム３００である。無線デバイス３０２は、移動デバイス（独立した電源を有するデバイスだけでなく、例えば、モデムも含む）、基地局、および／または基地局の一部分であることが可能である。アクセス・ポイント３０４は、同様に、移動アクセス・ポイント、基地局、または無線ネットワークへのアクセスをもたらす実質的に任意のアクセス・ポイントであることが可能である。一例において、無線デバイス３０２とアクセス・ポイント３０４は、デバイス３０２とデバイス３０４が同様のタイプである場合、ピアツーピア・トポロジまたはアドホック・トポロジを使用して通信することができる。さらに、システム３００は、ＭＩＭＯシステムであることが可能であり、さらに／または１つまたは複数の無線ネットワーク・システム規格（例えば、ＥＶ−ＤＯ、３ＧＰＰ、３ＧＧＰ２、３ＧＰＰ  ＬＴＥ、ＷｉＭＡＸなど）に準拠することが可能である。また、無線デバイス３０２の中に示され、以下に説明される構成要素および機能は、一例では、アクセス・ポイント３０４の中に存在することも可能であるとともに、アクセス・ポイント３０４の中に存在する構成要素および機能が、無線デバイス３０２の中に存在することも可能であり、図示される構成は、説明を容易にするために、これらの構成要素を除外する。特に、アクセス・ポイント３０４は、無線ネットワークに参加するネットワーク構成要素３０６へのアクセスをもたらす。ネットワーク構成要素３０６は、ＭＭＥ（移動管理エンティティ）、ゲートウェイ、および／または無線ネットワークへのアクセスをもたらす他のネットワーク構成要素であることが可能である。一例では、無線通信システム３００は、Ｅ−ＵＴＲＡシステムまたはＥ−ＵＴＲＡネットワークであることが可能である。
【００３９】
無線デバイス３０２は、１つまたは複数のアクセス・ポイントを相手に関連する無線ベアラを確立するための命令を含むＮＡＳメッセージのリストを受信するＮＡＳ受信構成要素３０８と、ベアラ確立を実行するベアラ・セット・アップ構成要素３１０とを含むことが可能であり、１つの無線ベアラは、リストの１つのＮＡＳメッセージに関連し、さらにベアラを介して通信することを円滑にして、無線ネットワークへのアクセスを受信するベアラ通信構成要素３１２を含むことが可能である。アクセス・ポイント３０４は、説明されるとおり、無線ネットワークからベアラ・セット・アップを求める要求を受信するベアラ要求受信構成要素２０２と、このベアラ・セット・アップ要求の中の１つまたは複数のベアラを初期化するベアラ・セット・アップ構成要素２０４と、セット・アップされることに成功したベアラと関係するＮＡＳメッセージを１つまたは複数の移動デバイスに送信するＮＡＳ転送構成要素２０６と、ベアラ・セット・アップが成功したか、不成功であったかを報告するベアラ・ステータス構成要素３１４とを含む。ネットワーク構成要素３０６は、アクセス・ポイントを相手にベアラをセット・アップすることと関係するＮＡＳメッセージを生成するＮＡＳメッセージ構成要素３１６と、ベアラ・セット・アップを求める１つまたは複数の要求を作成して、送信するとともに、関連するＮＡＳメッセージを含めるベアラ要求構成要素３１８と、アクセス・ポイントにおけるベアラ・セット・アップに関するステータス指示を獲得するベアラ・ステータス受信構成要素３２０とを含む。
【００４０】
或る例によれば、無線デバイス３０２は、アクセス・ポイント３０４から無線ネットワーク・アクセスを要求することが可能である。アクセス・ポイント３０４は、ネットワーク構成要素３０６と通信して、そのようなアクセスを確立することが可能である。ネットワーク構成要素３０６は、これに応答して、無線デバイス３０２に関する複数のレベルのサービスを円滑にするようにベアラを確立することと関係する情報を供給することが可能である。一例において、サービスのレベルは、前述したとおり、様々な通信技術のために利用されて、リソースを効率的に管理しながら、多様な通信機能をもたらすことが可能である。例えば、前述したとおり、音声データ、テキストデータ、ビデオデータ、ピクチャデータ、および／または以上に類するデータのために別々のベアラが、確立されることが可能である（例えば、ビデオデータのためのベアラが、テキストデータのためのベアラより高いサービス品質を有することが可能である場合に）。さらに、そのようなベアラ確立は、３ＧＰＰ  ＬＴＥなどのＥ−ＵＴＲＡネットワークを相手に通信を確立する際に必要である可能性がある（例えば、初期に、さらに／またはＥＶＤＯ、３ＧＰＰ２、および／または以上に類する技術などの異なる技術を使用する１つまたは複数のネットワークからハンドオーバしたことから）。さらに、Ｅ−ＵＴＲＡネットワークは、前述したとおり、ＥＰＳネットワークであることも可能である。
【００４１】
複数のベアラを確立することを円滑にするのに、ベアラ要求構成要素３１８は、無線デバイス３０２との所望される通信を可能にするのにセット・アップを要求する複数のベアラを特定することが可能である。ＮＡＳメッセージ構成要素３１６が、無線ネットワーク・アクセスを提供するアクセス・ポイント３０４を相手に所与のベアラをセット・アップするための命令を備える、無線デバイス３０２に対する各ベアラに関するＮＡＳメッセージを生成することが可能である。ベアラ要求構成要素３１８は、各ＮＡＳメッセージが関連するベアラにリンクされている（またはそれ以外で関連付けを示す）ベアラ・セット・アップ要求メッセージを作成することが可能である。このリンケージは、関連するＮＡＳメッセージ、またはそのようなメッセージへのリンクを、ベアラのリストの対応するエントリの中でネスト化して、アレイで、さらに／またはそれに類する仕方でリンケージを示すことを含むことが可能である。ベアラ要求構成要素３１８は、無線デバイス３０４にベアラ・セット・アップ要求を送信することが可能であり、この要求は、一例では、Ｓ１−ＡＰ（Ｓ１インターフェースアプリケーションプロトコル）メッセージであることが可能である。さらに、例えば、ベアラ要求メッセージは、以下のフォーマットを有することが可能である。
【表１】
2011517217.tif 000003
【００４２】
ただし、「maxnoof SAE bearers」は、セット・アップされ得るベアラの最大数であり、ＧＴＰ−ＴＥＩＤは、ＧＰＲＳ（汎用パケット無線サービス）トンネリング・プロトコル・トンネル・エンドポイント識別子である。この表におけるインデントによって示されるとおり（第１のレベルを表す「＞」、第２のレベルを表す「＞＞」）、セット・アップされるべきＳＡＥベアラのリストの中の各ベアラに関して、前述したとおり、無線デバイス３０２において所与のベアラをセット・アップするためのＮＡＳメッセージを備える、対応するＮＡＳ  ＰＤＵが存在する。
【００４３】
ベアラ要求受信構成要素２０２が、ネットワーク構成要素３０６によって送信されたベアラ・セット・アップ要求を獲得することが可能であり、さらにセット・アップされるべきベアラを、無線デバイス３０２に転送するための関連するＮＡＳメッセージと一緒に特定することが可能である。ベアラ・セット・アップ構成要素２０４は、セット・アップ要求の中で要求されるベアラの１つまたは複数を初期化することが可能である。一例では、この要求は、ベアラに関するサービス品質を指定することが可能であり、さらにベアラ・セット・アップ構成要素２０４は、そのサービス品質に従ってベアラを初期化しようと試みることが可能である。ベアラ・セット・アップ構成要素によってセット・アップされることに成功したベアラに関して、ＮＡＳ転送構成要素２０６は、関連するＮＡＳ  ＰＤＵを無線デバイス３０２に（例えば、ベアラと関係するＩＤと一緒に）送信することが可能であり、これらのＮＡＳ  ＰＤＵは、例えば、個々に、さらに／またはリストの中で送信されることが可能である。ベアラ・セット・アップ構成要素２０４によってセット・アップされることに成功しなかったベアラに関して（例えば、受付け制御などのために）、ＮＡＳ転送構成要素２０６は、関連するＮＡＳ  ＰＤＵを送信しない。ベアラ・ステータス構成要素３１４は、セット・アップされることに成功したベアラおよび／またはセット・アップされることに成功しなかったベアラをネットワーク構成要素３０６に示すことが可能である。一例では、これらの指示は、リストとして、標識のアレイとして、さらに／または以上に類するものとして送信されることが可能である。ベアラ・ステータス受信構成要素３２０は、セット・アップ結果を獲得することが可能である。ネットワーク構成要素３０６は、セット・アップされることに成功しなかったベアラのセット・アップを、アクセス・ポイント３０４から、または異なるアクセス・ポイントから再試行することが可能であることを認識されたい。
【００４４】
ＮＡＳ受信構成要素３０８が、アクセス・ポイント３０４を相手に初期化された無線ベアラをセット・アップすることと関係するＮＡＳメッセージを受信することが可能であり、前述したとおり、これらのメッセージは、例えば、個々に、またはリストの中で、もしくは他のグループ化で送信されることが可能である。ベアラ・セット・アップ構成要素３１０が、ネットワーク構成要素３０６からのＮＡＳメッセージを処理して、アクセス・ポイント３０４を相手に対応するベアラをセット・アップすることが可能であり、ベアラ通信構成要素３１２が、それらのベアラを介して通信して、無線ネットワークにアクセスすることを円滑にすることが可能である。一例では、ＮＡＳ転送構成要素２０６は、ＲＲＣ層接続開始メッセージもしくはＲＲＣ層接続再構成メッセージの中でＮＡＳメッセージを無線デバイス３０２に送信することが可能である。この例では、受信すると、ＮＡＳ受信構成要素３０８は、それらのＮＡＳメッセージを、より上位の層に転送して、ベアラ確立を円滑にすることが可能である。さらに、無線デバイス３０２は、確立されると、それらのベアラを介してアクセス・ポイント３０４と通信して、無線ネットワークにおける１つまたは複数のサービスを受けることが可能である。
【００４５】
図４を参照すると、選択的無線ベアラ確立を提供する無線通信システム４００が示されている。詳細には、メッセージを、このメッセージの一部分を移動デバイス４０６にさらに供給することが可能なアクセス・ポイント４０４に送信するネットワーク構成要素４０２が示されている。説明されるとおり、ネットワーク構成要素４０２は、移動デバイス４０６が無線ネットワークにアクセスすることを許すことが可能なアクセス・ポイント４０４にサービスを提供するＭＭＥ、ゲートウェイ、または他のネットワーク構成要素であることが可能である。図示されるとおり、ネットワーク構成要素４０２は、アクセス・ポイントにベアラ・セット・アップ要求４０８を送信することが可能である。ベアラ・セット・アップ要求４０８は、この例では、異なるサービス品質を提供する無線ベアラにそれぞれが関連することが可能な３つのベアラ要求を備える。ベアラ・セット・アップ要求４０８の中の各ベアラ要求は、アクセス・ポイント４０４を相手にベアラを確立する際に移動デバイスが利用する通信であることが可能なＮＡＳメッセージに関連する。ベアラ・セット・アップ要求４０８の中で示されるとおり、各ベアラ要求をＮＡＳメッセージに関連付けることにより、確立され得ないベアラが失敗することが可能である一方で、他のベアラが成功することが可能であるように選択的ベアラ確立が可能になる。
【００４６】
ベアラ・セット・アップ要求４０８を受信すると、アクセス・ポイント４０４は、ベアラ要求１、ベアラ要求２、およびベアラ要求３に従ってベアラをセット・アップしようと試みることが可能である。この例において、アクセス・ポイント４０４は、ベアラ要求１およびベアラ要求３を初期化することができ、したがって、関連するＮＡＳメッセージ、ＮＡＳメッセージ１  ４１０およびＮＡＳメッセージ３  ４１２を移動デバイス４０６に転送する。前述したとおり、移動デバイス４０６は、ＮＡＳメッセージ１  ４１０を利用して、アクセス・ポイント４０４を相手にベアラ１を確立することができ、ＮＡＳメッセージ３  ４１２を利用して、アクセス・ポイント４０４を相手にベアラ３を確立することができる。別々の送信として示されるものの、アクセス・ポイント４０４は、メッセージの分離を可能にするリストまたは他の構造を用いて、ＮＡＳメッセージ１  ４１０とＮＡＳメッセージ３  ４１２を単一のメッセージとして送信することができることを認識されたい。さらに、アクセス・ポイント４０４は、ネットワーク構成要素４０２にベアラ要求２失敗メッセージ４１４を送り返して、アクセス・ポイント４０４がベアラ２を初期化することができなかったこと（例えば、受付け制御のため、リソースの不足のため、サポートの不足のため、および／または以上に類する理由で）を示すことが可能である。また、示されていないものの、アクセス・ポイント４０４は、ベアラ１およびベアラ３と関係するベアラ成功メッセージをネットワーク構成要素４０２に送信することが可能であることを認識されたい。
【００４７】
次に図５を参照すると、ＵＥに関する無線ネットワーク・アクセスを確立することを円滑にする無線通信ネットワーク５００が示されている。ｅＮＢ５０４と通信してネットワーク・アクセスを得ることができるＵＥ５０２が、提供される。ｅＮＢ５０４は、移動モードを管理するＭＭＥ５０６と通信する。ＭＭＥ５０６は、無線ネットワークのＳＧＷ（サービングゲートウェイ）５０８と通信し、ＳＧＷ５０８は、ＰＤＮＧＷ（パケットデータネットワークゲートウェイ）５１０を活用して、ＰＣＲＦ（ポリシー課金および規則機能）５１２からポリシー情報を受信することができる。以上の構成要素は、本明細書で説明されるとおり、無線ネットワーク・アクセスをもたらすように通信することが可能である。一例において、図示されていないものの、ＵＥ５０２は、無線ネットワークへのアクセスを要求することが可能であり、この要求は、ＰＣＲＦ５１２によって受信されるまで、構成要素の間を移動することが可能である。
【００４８】
ＵＥ５０２がアクセスを要求することに基づいて、例えば、ＰＣＲＦ５１２は、ＵＥ５０２が無線ネットワークにアクセスすることを許可されているかどうかを判定することができ、さらに１つまたは複数のＰＣＣ規則を備えることが可能なＰＣＣ（ポリシー課金および制御）決定プロビジョン（provision）５１４をＰＤＮＧＷ５１０に提供することができる。これらの規則に基づいて、ＰＤＮＧＷ５１０は、１つまたは複数の専用無線ベアラ５１６を作成する要求をＳＧＷ５０８に送信することができ、ＳＧＷ５０８は、要求５１８をＭＭＥ５０６に転送することができる。ＭＭＥ５０６は、いずれのベアラを要求すべきかを特定し、それらのベアラを確立するための別々の関連するＮＡＳメッセージを作成し、個々のＮＡＳメッセージＰＤＵの中の別々のＮＡＳメッセージをベアラのリストの中に含めることができる。ＭＭＥ５０６は、ベアラ・セット・アップ要求５２０の中でベアラのリスト、および関連するＮＡＳメッセージをｅＮＢ５０４に送信することが可能である。ｅＮＢ５０４は、それらのベアラの１つまたは複数を初期化することが可能であり、初期化されることに成功したベアラと関係するＮＡＳメッセージを、ＲＲＣ接続再構成メッセージ５２２の中でＵＥ５０２に送信することが可能である。
【００４９】
ＵＥ５０２は、ＲＲＣ接続再構成メッセージ５２２を受信することが可能であり、さらにＮＡＳメッセージを処理して、それらのベアラを確立することが可能である。ベアラが確立されると、一例では、ＵＥ５０２は、ＲＲＣ接続再構成完了メッセージ５２４をｅＮＢ５０４に送信することが可能である。メッセージ５２４を受信すると、ｅＮＢは、ベアラ・セット・アップ応答メッセージ５２６をＭＭＥ５０６に送信することが可能である。前述したとおり、このメッセージ５２６は、確立されることに成功しなかったベアラのリスト、および／または確立されることに成功したベアラのリストを備えることが可能である。ＭＭＥ５０６は、メッセージ５３０の中でＰＤＮＧＷ５１０に転送するために、作成専用ベアラ応答作成メッセージ５２８をＳＧＷ５０８に送信することが可能である。また、このメッセージは、オプションとして、一例では、無線ベアラ成功／失敗情報を含むことも可能である。ＰＤＮＧＷ５１０は、プロビジョン確認５３２をＰＣＲＦ５１２に送信することが可能である。
【００５０】
次に図６〜図８を参照すると、本明細書で説明される様々な態様に従って実行されることが可能な方法が示されている。説明を簡単にするため、これらの方法は、一連の動作として示され、説明されるが、一部の動作は、１つまたは複数の態様によれば、本明細書で示され、説明されるのとは異なる順序で、さらに／または他の動作と同時に行われることも可能であるので、これらの方法は、動作の順序によって限定されないことを理解し、認識されたい。例えば、方法は、代替として、状態図などにおいて、一連の相互に関係する状態またはイベントとして表されることも可能であることが、当業者には理解され、認識されよう。さらに、１つまたは複数の態様に従って方法を実施するのに、例示されるすべての動作が要求されるわけではない可能性がある。
【００５１】
図６を参照すると、例示されているのは、アクセス・ポイントを相手に無線ベアラを確立するための方法６００である。６０２で、ベアラをセット・アップするための複数のＮＡＳメッセージを備える無線層通信が、アクセス・ポイントから受信される。説明されるとおり、ＮＡＳメッセージは、コア・ネットワーク構成要素によって最初に生成されることが可能であり、さらにアクセス・ポイントを相手にベアラを確立するための命令を備えることが可能である。さらに、各ＮＡＳメッセージは、一例では、そのＮＡＳメッセージ独自のＰＤＵの中で受信されることが可能である。６０４で、アクセス・ポイントを相手に少なくとも１つのベアラがセット・アップされることが可能であり、ただし、この少なくとも１つの無線ベアラは、対応するＮＡＳメッセージに関連する。このため、各ベアラに関して別々のメッセージが受信され、さらに各ベアラは、そのベアラのそれぞれのメッセージに従ってセット・アップされることが可能である。６０６で、その少なくとも１つの無線ベアラを使用して、そのアクセス・ポイントを相手に通信が行われることが可能である。これに関して、それらの所与のベアラに関する受信されたＮＡＳメッセージに基づいて、選択的ベアラ・セット・アップが提供される。
【００５２】
図７を参照すると、無線ネットワークにおいて通信するためのベアラをセット・アップする方法７００が示されている。７０２で、ベアラの１つにそれぞれがリンクされたＮＡＳメッセージのリストを備える複数のベアラを確立する要求が、受信されることが可能である。この要求は、一例では、コア無線ネットワークから受信されることが可能であり、ただし、ＮＡＳメッセージはそれぞれ、別個のＮＡＳ  ＰＤＵの中に入っている。別の例において、これらのＮＡＳメッセージは、リストの中の各ベアラ・エントリが、リストエントリにおいて列挙されるそのベアラ・エントリ独自の関連するＮＡＳメッセージを有するように、ベアラのリストの中に埋め込まれることが可能である。７０４で、ベアラの１つまたは複数が、初期化されることが可能である。説明されるとおり、これらのベアラのいくつかは、初期化されることに成功しない可能性があり、このことは、受付け制御、利用可能なリソース、ネットワーク能力、および／または以上に類することを含む様々な要因に基づくことが可能である。７０６で、その１つまたは複数の初期化されたベアラに対応する１つまたは複数のＮＡＳメッセージが特定され、７０８で、その１つまたは複数のＮＡＳメッセージが、移動デバイスに転送されることが可能である。このため、初期化されることに成功され得ないベアラと関係するＮＡＳメッセージは、一例では、移動デバイスに送信されない。初期化されることに成功したベアラに関するＮＡＳメッセージを供給することにより、選択的ベアラ確立がもたらされる。
【００５３】
図８は、無線通信における無線ベアラの選択的確立を可能にするための方法８００を示す。８０２で、セット・アップされるべき無線ベアラのリストが、アクセス・ポイントからアクセス要求を受信することに少なくとも部分的に基づいて、生成されることが可能である。説明されるとおり、無線ネットワークへのアクセスを求めるアクセス要求が、移動デバイスにおいて開始されることが可能である。８０４で、リストの中の各ベアラ・エントリに関して別々のＮＡＳメッセージが、作成されることが可能である。これらのＮＡＳメッセージは、前述したとおり、それぞれ、個別のＮＡＳ  ＰＤＵの中で作成されることが可能であり、ＮＡＳ  ＰＤＵは、リストの中の所与のエントリに埋め込まれる、またはそれ以外でリンクされることが可能である。このことは、それらのベアラの一部が成功することが可能である一方で、別の一部が失敗することが可能であるので、前述したとおり、別個のベアラ確立を可能にする。８０６で、ベアラのリスト、およびＮＡＳメッセージが、アクセス・ポイントに送信されることが可能である。
【００５４】
本明細書で説明される１つまたは複数の態様によれば、或るベアラが確立され得るかどうか、確立され得なかったベアラを確立することを再試行すべきかどうかなどを決定することに関する推測が行われることが可能であることが認識されよう。本明細書で使用される「推測する」または「推測」という用語は、イベントおよび／またはデータを介して捕捉された観察のセットからシステム、環境、および／またはユーザの状態について推論する、または推測するプロセスを全体的に指す。推測は、例えば、特定のコンテキストもしくはアクションを識別するのに使用されることが可能であり、または複数の状態にわたる確率分布を生成することが可能である。この推測は、確率論的である、つまり、データおよびイベントの考慮に基づく、関心対象の複数の状態にわたる確率分布の計算であることが可能である。また、推測は、イベントおよび／またはデータのセットから、より高いレベルのイベントを構成するために使用される技術を指すことも可能である。そのような推測は、イベントが時間的に密接に相互に関係しているか否か、ならびにイベントおよびデータが、１つのイベントおよびデータのソースから来るか、いくつかのイベントおよびデータのソースから来るかにかかわらず、観察されたイベントおよび／または格納されたイベントデータのセットから新たなイベントまたはアクションの構築をもたらす。
【００５５】
図９を参照すると、例示されているのは、アクセス・ポイントから受信されたメッセージに基づいて、アクセス・ポイントを相手にベアラを確立するシステム９００である。例えば、システム９００は、基地局内、移動デバイス内などに少なくとも部分的に存在することが可能である。システム９００は、プロセッサ、ソフトウェア、またはプロセッサとソフトウェアの組合せ（例えば、ファームウェア）によって実施される機能を表す機能ブロックであることが可能な、機能ブロックを含むものとして表されていることを認識されたい。システム９００は、連携して動作することが可能なソフトウェア・モジュールの論理グループ化９０２を含む。例えば、論理グループ化９０２は、アクセス・ポイントから、無線ベアラを確立することと関係する複数のＮＡＳメッセージを単一のＲＲＣメッセージ内で受信するためのソフトウェア・モジュール９０４を含むことが可能である。例えば、これらのＮＡＳメッセージは、アクセス・ポイントを相手にベアラを確立することを円滑にするように、コア・ネットワーク構成要素によって指定されて、アクセス・ポイントによって転送されることが可能である。さらに、論理グループ化９０２は、アクセス・ポイントを相手に少なくとも１つの無線ベアラを確立するためのソフトウェア・モジュール９０６を備えることが可能であり、この少なくとも１つの無線ベアラは、ＮＡＳメッセージの１つに関連する。説明されるとおり、各無線ベアラに関して別々のＮＡＳメッセージを有することにより、アクセス・ポイントは、それらのベアラの一部を初期化することができ、さらにシステム９００は、受信されたＮＡＳメッセージに基づいて、ベアラの一部をセット・アップすることができる。さらに、論理グループ化９０２は、アクセス・ポイントから無線ネットワークへのアクセスを要求するためのソフトウェア・モジュール９０８を含むことが可能である。一例では、これらのＮＡＳメッセージは、アクセス要求に少なくとも部分的に基づいて、受信されることが可能である。さらに、システム９００は、ソフトウェア・モジュール９０４、９０６、および９０８に関連する機能を実行するための命令を保持するメモリ９１０を含むことが可能である。メモリ９１０の外部にあるものとして示されるが、ソフトウェア・モジュール９０４、９０６、および９０８の１つまたは複数は、メモリ９１０内部に存在することも可能であることを理解されたい。
【００５６】
図１０を参照すると、例示されているのは、無線ネットワークにおいて無線ベアラを選択的に確立するシステム１０００である。例えば、システム１０００は、基地局内、移動デバイス内、または無線ネットワークへのアクセスをもたらす別のデバイスの内部に少なくとも部分的に存在することが可能である。システム１０００は、プロセッサ、ソフトウェア、またはプロセッサとソフトウェアの組合せ（例えば、ファームウェア）によって実施される機能を表す機能ブロックであることが可能な、機能ブロックを含むものとして表されていることを認識されたい。システム１０００は、連携して動作することが可能なソフトウェア・モジュールの論理グループ化１００２を含む。例えば、論理グループ化１００２は、各無線ベアラが異なるＮＡＳメッセージに関連付けられた無線ベアラのリストをセット・アップする要求を受信するためのソフトウェア・モジュール１００４を含むことが可能である。例えば、これらのＮＡＳメッセージは、所与のリストエントリにリンクされる、所与のリストエントリ内に埋め込まれる、さらに／または以上に類する仕方でリンクされることが可能である。さらに、論理グループ化１００２は、無線ベアラのリストの中の１つまたは複数の無線ベアラを初期化するためのソフトウェア・モジュール１００６を備えることが可能である。説明されるとおり、初期化は、受付け制御、利用可能なリソースなどに基づいて、一部の無線ベアラに関して失敗する可能性がある。
【００５７】
さらに、論理グループ化１００２は、１つまたは複数の無線ベアラに対応するＮＡＳメッセージの少なくとも１つを移動デバイスに転送するためのソフトウェア・モジュール１００８を含むことが可能である。このため、移動デバイスが、それらのＮＡＳメッセージを介して、初期化されることに成功したベアラを確立するように命令されることが可能な、選択的ベアラ確立がもたらされる。さらに、論理グループ化１００２は、コア無線ネットワーク構成要素に初期化された無線ベアラのリストを供給するためのソフトウェア・モジュール１０１０を含むことが可能である。これに関して、ステータスが、無線ネットワークに折り返し報告されることが可能である。また、ソフトウェア・モジュール１０１０は、初期化が失敗したベアラのリストをコア無線ネットワーク構成要素に供給することも可能である。さらに、システム１０００は、ソフトウェア・モジュール１００４、１００６、１００８、および１０１０に関連する機能を実行するための命令を保持するメモリ１０１２を含むことが可能である。メモリ１０１２の外部にあるものとして示されるが、ソフトウェア・モジュール１００４、１００６、１００８、および１０１０の１つまたは複数は、メモリ１０１２内部に存在することも可能であることを理解されたい。
【００５８】
図１１を参照すると、例示されているのは、無線通信ネットワークにおける選択的ベアラ確立を可能にするシステム１１００である。例えば、システム１１００は、ＭＭＥ内、ゲートウェイ内、他のコア・ネットワーク構成要素内などに少なくとも部分的に存在することが可能である。システム１１００は、プロセッサ、ソフトウェア、またはプロセッサとソフトウェアの組合せ（例えば、ファームウェア）によって実施される機能を表す機能ブロックであることが可能な、機能ブロックを含むものとして表されていることを認識されたい。システム１１００は、連携して動作することが可能なソフトウェア・モジュールの論理グループ化１１０２を含む。例えば、論理グループ化１１０２は、無線ネットワークにおいて通信するために所与の無線ベアラをセット・アップすることと関係する別々のＮＡＳメッセージを生成するためのソフトウェア・モジュール１１０４を含むことが可能である。説明されるとおり、これらのＮＡＳメッセージは、移動デバイスに向けられることが可能であり、さらにアクセス・ポイントを相手にそれらのベアラを確立するための命令を備えることが可能である。さらに、論理グループ化１１０２は、ベアラ・セット・アップ要求の中でそれらの別々のＮＡＳメッセージと、それらの所与の無線ベアラとの間の関連付けを示し、このベアラ・セット・アップ要求をアクセス・ポイントに送信するためのソフトウェア・モジュール１１０６を備えることが可能である。
【００５９】
例えば、示される関連付けは、それらのＮＡＳメッセージをベアラ・セット・アップ要求内のベアラ情報の中に埋め込むこと、それらのＮＡＳメッセージに対するリンクを提供すること、および／または以上に類する仕方でリンクすることなどによって、無線ベアラにそれらのＮＡＳメッセージをリンクすることを含むことが可能である。さらに、論理グループ化１１０２は、アクセス・ポイントから所与の無線ベアラと関係する複数のステータスを受信するためのソフトウェア・モジュール１１０８を含むことが可能である。このため、成功したベアラ初期化、および失敗したベアラ初期化は、アクセス・ポイントによって示されることが可能である。さらに、システム１１００は、ソフトウェア・モジュール１１０４、１１０６、および１１０８に関連する機能を実行するための命令を保持するメモリ１１１０を含むことが可能である。メモリ１１１０の外部にあるものとして示されるが、ソフトウェア・モジュール１００４、１００６、および１００８の１つまたは複数は、メモリ１１１０内部に存在することも可能であることを理解されたい。
【００６０】
図１２は、本明細書で説明される機能の様々な態様を実施するのに利用されることが可能なシステム１２００のブロック図である。一例において、システム１２００は、基地局またはｅＮＢ１２０２を含む。図示されるとおり、ｅＮＢ１２０２は、１つまたは複数のＲｘ（受信）アンテナ１２０６を介して１つまたは複数のＵＥ１２０４から信号を受信することができ、１つまたは複数のＴｘ（送信）アンテナ１２０８を介して１つまたは複数のＵＥ１２０４に送信することができる。さらに、ｅＮＢ１２０２は、受信アンテナ１２０６から情報を受け取る受信機１２１０を備えることが可能である。一例では、受信機１２１０は、受信された情報を復調するＤｅｍｏｄ（復調器）１２１２に動作上、関連付けられることが可能である。復調されたシンボルは、次に、プロセッサ１２１４によって分析されることが可能である。プロセッサ１２１４は、コードクラスタ、アクセス端末装置割当て、アクセス端末装置割当てと関係するルックアップテーブル、一意スクランブル系列と関係する情報、および／または他の適切なタイプの情報を格納することが可能なメモリ１２１６に結合されることが可能である。一例では、ｅＮＢ１２０２は、プロセッサ１２１４を使用して、方法６００、７００、および／または他の類似した適切な方法を実行することが可能である。ｅＮＢ１２０２は、送信アンテナ１２０８を介して送信機１２２０によって送信されるように信号を多重化することができる変調器１２１８を含むことも可能である。
【００６１】
図１３は、本明細書で説明される機能の様々な態様を実施するのに利用されることが可能な別のシステム１３００のブロック図である。一例において、システム１３００は、移動端末装置１３０２を含む。図示されるとおり、移動端末装置１３０２は、１つまたは複数のアンテナ１３０８を介して１つまたは複数の基地局１３０４から信号を受信すること、およびその１つまたは複数の基地局１３０４に送信することができる。さらに、移動端末装置１３０２は、アンテナ１３０８から情報を受け取る受信機１３１０を備えることが可能である。一例において、受信機１３１０は、受信された情報を復調するＤｅｍｏｄ（復調器）１３１２に動作上、関連付けられることが可能である。復調されたシンボルは、次に、プロセッサ１３１４によって分析されることが可能である。プロセッサ１３１４は、移動端末装置１３０２と関係するデータおよび／またはプログラム・コードを格納することが可能なメモリ１３１６に結合されることが可能である。さらに、移動端末装置１３０２は、プロセッサ１３１４を使用して、方法６００、７００、および／または他の類似した適切な方法を実行することが可能である。また、移動端末装置１３０２は、前出の図で説明される１つまたは複数の構成要素を使用して、説明される機能を実行することも可能であり、一例では、これらの構成要素は、プロセッサ１３１４によって実施されることが可能である。また、移動端末装置１３０２は、アンテナ１３０８を介して送信機１３２０によって送信されるように信号を多重化することができる変調器１３１８を含むことも可能である。
【００６２】
次に図１４を参照すると、様々な態様による無線多元接続通信システムの例示が与えられている。一例において、ＡＰ１４００（アクセス・ポイント）が、複数のアンテナ・グループを含む。図１４に示されるとおり、１つのアンテナ・グループは、アンテナ１４０４および１４０６を含むことが可能であり、別のアンテナ・グループは、アンテナ１４０８および１４１０を含むことが可能であり、さらに別のアンテナ・グループは、アンテナ１４１２および１４１４を含むことが可能である。各アンテナ・グループに関して２つだけのアンテナが図１４に示されるが、各アンテナ・グループに関して、より多くの、またはより少ないアンテナが利用されてもよいことを認識されたい。別の例において、アクセス端末装置１４１６が、アンテナ１４１２および１４１４と通信状態にあることが可能であり、ただし、アンテナ１４１２および１４１４は、順方向リンク１４２０を介してアクセス端末装置１４１６に情報を送信し、逆方向リンク１４１８を介してアクセス端末装置１４１６から情報を受信する。加えて、さらに／または代替として、アクセス端末装置１４２２が、アンテナ１４０６および１４０８と通信状態にあることが可能であり、ただし、アンテナ１４０６および１４０８は、順方向リンク１４２６を介してアクセス端末装置１４２２に情報を送信し、逆方向リンク１４２４を介してアクセス端末装置１４２２から情報を受信する。周波数分割複信システムにおいて、通信リンク１４１８、１４２０、１４２４、および１４２６は、通信のために異なる周波数を使用することが可能である。例えば、順方向リンク１４２０は、逆方向リンク１４１８によって使用される周波数とは異なる周波数を使用することが可能である。
【００６３】
アンテナの各グループ、および／またはアンテナ・グループが通信するように設計されている区域が、アクセス・ポイントのセクタと呼ばれることが可能である。一態様によれば、アンテナ・グループは、アクセス・ポイント１４００によって範囲に含まれる区域のセクタ内のアクセス端末装置に通信するように設計されることが可能である。順方向リンク１４２０および１４２６を介する通信において、アクセス・ポイント１４００の送信アンテナは、異なるアクセス端末装置１４１６および１４２２に関する順方向リンクのＳＮ比を向上させるためにビーム形成を利用することが可能である。また、アクセス・ポイントが、そのアクセス・ポイントのカバレッジにわたってランダムに散らばっているアクセス端末装置にビーム形成を使用して送信することにより、アクセス・ポイントが、そのアクセス・ポイントのすべてのアクセス端末装置に単一のアンテナを介して送信することと比べて、隣接セル内のアクセス端末装置にもたらす干渉をより小さくする。
【００６４】
アクセス・ポイント、例えば、アクセス・ポイント１４００は、端末装置と通信するために使用される固定局であることが可能であり、さらに基地局、ｅＮＢ、アクセス・ネットワーク、および／または他の適切な用語で呼ばれることも可能である。さらに、アクセス端末装置、例えば、アクセス端末装置１４１６または１４２２は、移動端末装置、ユーザ機器、無線通信デバイス、端末装置、無線端末装置、および／または他の適切な用語で呼ばれることも可能である。
【００６５】
次に図１５を参照すると、本明細書で説明される様々な態様が機能することが可能である例示的な無線通信システム１５００を示すブロック図が、与えられている。一例において、システム１５００は、送信機システム１５１０と、受信機システム１５５０とを含むＭＩＭＯ（多入力多出力）システムである。しかし、送信機システム１５１０および／または受信機システム１５５０は、例えば、複数の送信アンテナ（例えば、基地局上の）が、単一アンテナデバイス（例えば、移動局）に１つまたは複数のシンボル・ストリームを送信することが可能な多入力単出力システムに適用されることも可能であることを認識されたい。さらに、本明細書で説明される送信機システム１５１０および／または受信機システム１５５０の態様は、単出力−単一入力アンテナシステムに関連して利用されることも可能であることを認識されたい。
【００６６】
一態様によれば、いくつかのデータ・ストリームに関するトラヒック・データが、送信機システム１５１０においてデータ・ソース１５１２からＴＸ（送信）データ・プロセッサ１５１４に供給される。一例において、各データ・ストリームは、次に、それぞれの送信アンテナ１５２４を介して送信されることが可能である。さらに、ＴＸデータ・プロセッサ１５１４は、符号化されたデータをもたらすために、各データ・ストリームに関して選択された特定の符号化スキームに基づいて、各データ・ストリームに関するトラヒック・データをフォーマットし、符号化し、さらにインターリーブすることが可能である。一例において、各データ・ストリームに関する符号化されたデータは、次に、ＯＦＤＭ技術を使用してパイロットデータと多重化されることが可能である。パイロットデータは、例えば、既知の仕方で処理される知られているデータパターンであることが可能である。さらに、パイロットデータは、受信機システム１５５０においてチャネル応答を推定するのに使用されることが可能である。送信機システム１５１０に戻ると、各データ・ストリームに関する多重化されたパイロットデータと符号化されたデータは、変調シンボルをもたらすために各データ・ストリームに関して選択された特定の変調スキーム（例えば、ＢＰＳＫ、ＱＳＰＫ、Ｍ−ＰＳＫ、またはＭ−ＱＡＭ）に基づいて変調される（すなわち、シンボルマップされる）ことが可能である。一例において、各データ・ストリームに関するデータ転送速度、符号化、および変調は、プロセッサ１５３０上で実行され、さらに／またはプロセッサ１５３０によって与えられる命令によって決まることが可能である。
【００６７】
次に、すべてのデータ・ストリームに関する変調シンボルが、それらの変調シンボルをさらに処理する（例えば、ＯＦＤＭのために）ことが可能なＴＸプロセッサ１５２０に供給されることが可能である。次に、ＴＸ  ＭＩＭＯプロセッサ１５２０は、ＮＴ個の変調シンボル・ストリームをＮＴ個のトランシーバ１５２２ａないし１５２２ｔに供給することが可能である。一例において、各トランシーバ１５２２は、それぞれのシンボル・ストリームを受け取り、処理して、１つまたは複数のアナログ信号をもたらすことが可能である。次に、各トランシーバ１５２２は、これらのアナログ信号をさらに調整して（例えば、増幅し、フィルタリングし、さらにアップコンバートして）、ＭＩＭＯチャネルを介して送信するのに適した、変調された信号をもたらすことが可能である。したがって、次に、トランシーバ１５２２ａないし１５２２ｔからのＮＴ個の変調された信号が、それぞれ、ＮＴ個のアンテナ１５２４ａないし１５２４ｔから送信されることが可能である。
【００６８】
別の態様によれば、送信された、変調された信号は、受信機システム１５５０においてＮＲ個のアンテナ１５５２ａないし１５５２ｒによって受信されることが可能である。各アンテナ１５５２からの受信された信号は、次に、それぞれのトランシーバ１５５４に供給されることが可能である。一例において、各トランシーバ１５５４は、受信されたそれぞれの信号を調整し（例えば、フィルタリングし、増幅し、さらにダウンコンバートして）、この調整された信号をディジタル化して、サンプルをもたらし、次に、これらのサンプルを処理して、対応する「受信された」シンボル・ストリームをもたらすことが可能である。次に、ＲＸ  ＭＩＭＯ／データ・プロセッサ１５６０が、ＮＲ個のトランシーバ１５５４からＮＲ個の受信されたシンボル・ストリームを受け取り、特定の受信機処理技術に基づいて処理して、ＮＴ個の「検出された」シンボル・ストリームをもたらすことが可能である。一例において、検出された各シンボル・ストリームは、対応するデータ・ストリームに関して送信された変調シンボルの推定であるシンボルを含むことが可能である。次に、ＲＸプロセッサ１５６０は、少なくとも部分的には、検出された各シンボル・ストリームを復調し、逆インターリーブし、復号することによって、各シンボル・ストリームを処理して、対応するデータ・ストリームに関するトラヒック・データを回復することが可能である。このため、ＲＸプロセッサ１５６０による処理は、送信機システム１５１０においてＴＸ  ＭＩＭＯプロセッサ１５２０およびＴＸデータ・プロセッサ１５１６によって実行される処理と相補的であることが可能である。ＲＸプロセッサ１５６０は、処理されたシンボル・ストリームをデータ・シンク１５６４にさらに供給することが可能である。
【００６９】
一態様によれば、ＲＸプロセッサ１５６０によって生成されたチャネル応答推定は、受信機において空間／時間処理を実行し、電力レベルを調整し、変調レートもしくは変調スキームを変更し、さらに／または他の適切なアクションを行うのに使用されることが可能である。さらに、ＲＸプロセッサ１５６０は、例えば、検出されたシンボル・ストリームのＳＮＲ（信号対雑音干渉比）などのチャネル特性をさらに推定することが可能である。次に、ＲＸプロセッサ１５６０は、推定されたチャネル特性をプロセッサ１５７０に供給することが可能である。一例において、ＲＸプロセッサ１５６０および／またはプロセッサ１５７０は、システムに関する「動作」ＳＮＲの推定をさらに導き出すことが可能である。次に、プロセッサ１５７０は、通信リンクおよび／または受信されたデータ・ストリームに関する情報を備えることが可能なＣＳＩ（チャネル状態情報）をもたらすことが可能である。この情報は、例えば、動作ＳＮＲを含むことが可能である。次に、このＣＳＩが、ＴＸデータ・プロセッサ１５１８によって処理され、変調器１５８０によって変調され、トランシーバ１５５４ａないし１５５４ｒによって調整されて、送信機システム１５１０に返送されることが可能である。さらに、受信機システム１５５０におけるデータ・ソース１５１６が、ＴＸデータ・プロセッサ１５１８によって処理されるべきさらなるデータを供給することが可能である。
【００７０】
送信機システム１５１０に戻ると、次に、受信機システム１５５０からの変調された信号が、アンテナ１５２４によって受信され、トランシーバ１５２２によって調整され、復調器１５４０によって復調され、ＲＸデータ・プロセッサ１５４２によって処理されて、受信機システム１５５０によって報告されたＣＳＩが回復されることが可能である。一例において、報告されたＣＳＩは、次に、プロセッサ１５３０に供給されて、１つまたは複数のデータ・ストリームのために使用されるべきデータ転送速度、ならびに符号化スキームおよび変調スキームを決定するのに使用されることが可能である。決定された符号化スキームおよび変調スキームは、次に、量子化のため、および／または受信機システム１５５０に後に送信する際に使用するために、トランシーバ１５２２に供給されることが可能である。加えて、さらに／または代替として、報告されたＣＳＩは、プロセッサ１５３０によって、ＴＸデータ・プロセッサ１５１４およびＴＸ  ＭＩＭＯプロセッサ１５２０に関する様々な制御を生成するのに使用されることが可能である。別の例において、ＣＳＩ、および／またはＲＸデータ・プロセッサ１５４２によって処理される他の情報は、データ・シンク１５４４に供給されることが可能である。
【００７１】
一例において、送信機システム１５１０におけるプロセッサ１５３０、および受信機システム１５５０におけるプロセッサ１５７０は、それぞれのシステムにおける動作を誘導する。さらに、送信機システム１５１０におけるメモリ１５３２、および受信機システム１５５０におけるメモリ１５７２がそれぞれ、プロセッサ１５３０および１５７０によって使用されるプログラムコードおよびデータのためのストレージを提供することが可能である。さらに、受信機システム１５５０において、様々な処理技術が、受信されたＮＲ個の信号を処理して、送信されたＮＴ個のシンボル・ストリームを検出するのに使用されることが可能である。これらの受信機処理技術には、等化技術と呼ばれることも可能な空間受信機処理技術および空間−時間受信機処理技術、ならびに／または「連続干渉除去」受信機処理技術もしくは「連続除去」受信機処理技術と呼ばれることも可能な「連続ゼロ化／等化および干渉除去」受信機処理技術が含まれることが可能である。
【００７２】
本明細書で説明される態様は、ハードウェア、ソフトウェア、ファームウェア、ミドルウェア、マイクロコード、または以上の任意の組合せによって実施されることが可能であることを理解されたい。これらのシステムおよび／または方法が、ソフトウェアで、ファームウェアで、ミドルウェアもしくはマイクロコードで、プログラムコードもしくはコードセグメントで実施される場合、これらのシステムおよび／または方法は、記憶構成要素などのマシン可読媒体の中に格納されることが可能である。コードセグメントは、手順、機能、サブプログラム、プログラム、ルーチン、サブルーチン、モジュール、ソフトウェアパッケージ、クラス、または命令の任意の組合せ、データ構造、またはプログラムステートメントを表すことが可能である。コードセグメントは、情報、データ、引数、パラメータ、またはメモリ内容を送ること、および／または受け取ることによって、別のコードセグメントまたはハードウェア回路に結合されることが可能である。情報、引数、パラメータ、データなどは、メモリ共有、メッセージ受渡し、トークン受渡し、ネットワーク伝送などを含む任意の適切な手段を使用して、送られる、転送される、または送信されることが可能である。
【００７３】
ソフトウェア実施態様に関して、本明細書で説明される技術は、本明細書で説明される機能を実行するモジュール（例えば、手順、機能など）を用いて実施されることが可能である。これらのソフトウェアコードは、メモリユニットの中に格納されて、プロセッサによって実行されることが可能である。メモリユニットは、プロセッサの内部に実装されることも、プロセッサの外部に実装されることも可能であり、外部に実装される場合、メモリユニットは、当技術分野で知られているとおり、様々な手段を介してプロセッサに通信するように結合されることが可能である。
【００７４】
以上に説明してきたことには、１つまたは複数の態様の例が含まれる。もちろん、前述した態様を説明する目的で、構成要素または方法の考えられるすべての組合せを説明することは可能でないが、様々な態様の多くのさらなる組合せおよび置換が可能であることを当業者は認識することができよう。したがって、説明される態様は、添付の特許請求の範囲の趣旨および範囲に含まれるすべてのそのような代替、変形、および変種を包含することを意図している。さらに、「含む」という用語が、詳細な説明または特許請求の範囲において使用される限りにおいて、そのような用語は、「備える」という用語が請求項においてつなぎの言葉として使用される場合に解釈される「備える」と同様に、包含的であることが意図されている。さらに、詳細な説明または特許請求の範囲において使用される「または」という用語は、「非排他的なまたは」であることが意図されている。
【図１】
2011517217.tif 000004
【図２】
2011517217.tif 000005
【図３】
2011517217.tif 000006
【図４】
2011517217.tif 000007
【図５】
2011517217.tif 000008
【図６】
2011517217.tif 000009
【図７】
2011517217.tif 000010
【図８】
2011517217.tif 000011
【図９】
2011517217.tif 000012
【図１０】
2011517217.tif 000013
【図１１】
2011517217.tif 000014
【図１２】
2011517217.tif 000015
【図１３】
2011517217.tif 000016
【図１４】
2011517217.tif 000017
【図１５】
2011517217.tif 000018
【国際調査報告】
2011517217.tif 000019
2011517217.tif 000020
2011517217.tif 000021